(57)【要約】【課題】使用済みの染毛用カップを保管するスペースが少なくてすみ、洗浄の頻度が少なくて済み、洗浄が容易である染毛用カップ及びプレートを提供すること。【解決手段】染毛用カップ１は、上方が開口した容器であるカップ本体３と、そのカップ本体３の内側に、着脱自在に装着される容器であるプレート５とから構成される。カップ本体３は、平坦な底部７と、上方に行くほど広がっている側面部９と、側面部９の上端から、水平方向外側に張り出した部分である縁部１１とを有している。プレート５は、ゴムから成る部材であり、平坦な底部１７と、上方に行くほど広がっている側面部１９とを有している。【選択図】  図２
2004313403.tif 000002
【特許請求の範囲】
【請求項１】
染毛剤を保持する容器であるプレートと、
前記プレートを支持する支持体と、を備えることを特徴とする染毛用カップ。
【請求項２】
前記プレートは、弾性を有する材料から成ることを特徴とする前記請求項１に記載の染毛用カップ。
【請求項３】
前記プレートは、表裏を裏返すことができるものであることを特徴とする前記請求項１又は２に記載の染毛用カップ。
【請求項４】
前記プレートは、薄肉材から構成されることを特徴とする前記請求項１に記載の染毛用カップ。
【請求項５】
前記薄肉材は紙であることを特徴とする前記請求項４に記載の染毛用カップ。
【請求項６】
前記支持体は、前記プレートをその内側に装着することができる容器であることを特徴とする前記請求項１〜５のいずれかに記載の染毛用カップ。
【請求項７】
前記支持体は、前記プレートの外側面に当接することにより前記プレートを支持する台座であることを特徴とする前記請求項１〜５のいずれかに記載の染毛用カップ。
【請求項８】
前記請求項１〜７のいずれかに記載の染毛用カップを構成するプレート。
【発明の詳細な説明】
【０００１】
【発明の属する技術分野】
本発明は、例えば、理容院や美容院においてヘアーカラーリング時に用いられる染毛用カップ及びプレートに関する。
【０００２】
【従来の技術】
従来より、理容室や美容室において、ヘアーカラーリングを行う際には、図７に示す様な染毛用カップＰ１の中に、染毛剤の第１剤と第２剤とを入れ、技術者がそれらを刷毛などを用いて混合して混合薬剤を調製し、その混合薬剤を髪へ塗布していた。
【０００３】
この染毛用カップＰ１は、使用中に変形したりしないように、剛性を有するプラスチックから成るものであり、一旦使用した後は、洗浄により混合薬剤を除去してから、再度使用される。
ところで、理容室等では、作業効率を高めるために、複数の上記染毛用カップＰ１を用意しておき、使用した染毛用カップは、洗い場等に山積みしておき、手の空いた時間にまとめて洗浄するという方法が採られてきた。
【０００４】
尚、先行技術文献情報は、見いだせていない。
【０００５】
【発明が解決しようとする課題】
しかしながら、従来の染毛用カップＰ１は、上記のように剛性があり、嵩張るものであるので、洗い場に山積みにしておくと、直ぐに洗い場がいっぱいとなってしまい、洗い場での他の作業の邪魔になるという問題があった。
【０００６】
また、従来の染毛用カップＰ１は、１度使用すると、洗浄をしないと再使用できないため、作業効率が低下してしまうという問題があった。
更に、使用後の染毛用カップＰ１は、その内側に混合薬液が付着しているので、その除去がしにくいという問題があった。
【０００７】
本発明は以上の点に鑑みなされたものであり、使用済みの染毛用カップを保管するスペースが少なくてすみ、洗浄の頻度が少なくて済み、洗浄が容易である染毛用カップ及びプレートを提供することを目的とする。
【０００８】
【課題を解決するための手段及び発明の効果】
（１）請求項１の発明は、
染毛剤を保持する容器であるプレートと、前記プレートを支持する支持体と、を備えることを特徴とする染毛用カップを要旨とする。
【０００９】
本発明の染毛用カップは、支持体とは別に、染毛剤を保持する容器であるプレートを備えているので、染毛作業に使用した際に混合薬液が付着するのは、プレートの部分だけである。
そのため、本発明の染毛用カップは、使用後、プレートを支持体から取り外し、そのプレートから混合薬液を除去するだけで、再度使用することができる。よって、本発明の染毛用カップは、染毛用カップ全体を洗浄する必要があった従来の染毛用カップよりも、混合薬液の除去が容易である。
【００１０】
また、本発明において、混合薬液が付着するのは、上記のようにプレートの部分のみであるので、例えば、プレートを複数用意しておけば、プレートを次々と新しいもの（混合薬液が付着していないもの）に交換しながら、連続して染毛作業を行うことができる。
【００１１】
この場合、使用済みのプレートは、例えば、後でまとめて洗浄するために、洗い場等に積み重ねておくことができるが、積み重ねられたプレートは、従来のように、染毛用カップ全体を洗い場等に山積みにする場合に比べて、嵩張ることがないので、他の作業の邪魔になるようなことがない。
【００１２】
・前記プレートとしては、染毛剤を保持できるものであればよく、例えば、図１に示すプレート５のような容器が挙げられる。
・前記支持体としては、前記プレートを支持できるものであればよく、例えば、図１に示す様に、プレート５をその内側に装着することができる容器３が挙げられる。また、支持体としては、例えば、図５に示すように、円環形状の部材である台座２５であって、その中心の孔にプレート５の下部を装着できるものが挙げられる。支持体の材料としては、プレート５に対して滑りにくいものが好適であり、具体的には、ゴム、スポンジ、シリコン、高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）、エチレン−酢酸ビニル共重合体ケン化物（ＥＶＯＨ）、ポリアクリロニトリル、ポリエチレンテレフタレート（ＰＥＴ）、ポリプロピレン（ＰＰ）、ポリエステル、ポリ塩化ビニル、及びナイロン等が挙げられる。
（２）請求項２の発明は、
前記プレートは、弾性を有する材料から成ることを特徴とする前記請求項１に記載の染毛用カップを要旨とする。
【００１３】
本発明の染毛用カップでは、プレートが弾性を有する材料からなるので、プレートの表裏を裏返すことができる。そのことにより、以下の▲１▼〜▲２▼効果を奏する。
▲１▼本発明の染毛用カップを用いれば、染毛用カップの洗浄を行わずに、２回の染毛を行うことができる。
【００１４】
つまり、１回目の染毛を行った後、プレートを一旦支持体から取り外して、例えば図３に示す様に、表裏を裏返してから、再び支持体に装着すると、プレートの面のうち、混合薬液の付着していない面が、染毛用カップの内側の面となる。従って、このまま、洗浄を行わずに、再度染毛を行うことができる。
【００１５】
このように、本発明の染毛用カップを用いれば、混合薬液の洗浄の回数が少なくて済み、作業効率を向上させることができる。
▲２▼本発明の染毛用カップは、混合薬剤の除去が容易である。
例えば、プレートの内側の面に混合薬剤が付着している場合には、まず、プレートを支持体から取り外し、次に、プレートの表裏を裏返しにする。すると、混合薬剤の付着した面は外側になるので、例えば、ティッシュで拭き取ったり、水を用いた洗浄を行うことにより、混合薬液を容易に除去することができる。
【００１６】
また、プレートの内側と外側の両面に混合薬剤が付着している場合は、まず、プレートを支持体から取り外し、プレートの外側の面に付着した混合薬剤を、ティッシュなどで拭き取ったり、水を用いた洗浄を行うことにより、除去する。次に、プレートの表裏を裏返し、新たに外側となった面（当初は内側であった面）に付着した混合薬液を、ティッシュなど拭き取ったり、水を用いた洗浄により容易に除去することができる。
【００１７】
また、本発明の染毛用カップでは、プレートが、例えば、ゴム（弾性を有する材料）のような混合薬剤がこびり付きにくい材料から成る場合は、ティッシュなどで拭き取るだけで、容易に混合薬剤を除去することができる。そのため、プレートを水を用いて洗浄することは不要であるか、または頻度を少なくすることができる。そのことにより、混合薬液の除去に要する時間が短くて済み、作業効率を向上させることができる。
【００１８】
・前記弾性を有する材料としては、例えば、ゴム、シリコン等が挙げられる。
（３）請求項３の発明は、
前記プレートは、表裏を裏返すことができるものであることを特徴とする前記請求項１又は２に記載の染毛用カップを要旨とする。
【００１９】
本発明の染毛用カップは、プレートの表裏を裏返すことができるので、前記請求項２の発明と同様に、▲１▼染毛用カップの洗浄を行わずに、２回の染毛を行うことができるという効果、及び、▲２▼混合薬剤の除去が容易であるという効果を奏する。
【００２０】
本発明において、表裏を裏返すことができるプレートとしては、例えば、ゴム等のような弾性を有する材料で構成されたプレートが挙げられる。
（４）請求項４の発明は、
前記プレートは、薄肉材から構成されることを特徴とする前記請求項１に記載の染毛用カップを要旨とする。
【００２１】
本発明の染毛用カップでは、混合薬液が付着するのは薄肉材から構成されるプレートの部分のみであり、そのプレートは、支持体から取り外すことができる。そのため、例えば、一度染毛作業を実施した後は、混合薬剤の付着したプレートを取り外し、新しいプレートを本体カップに取り付けることにより、染毛用カップの洗浄を行わずに、直ぐに、次の染毛作業を実施することができる。つまり、本発明の染毛用カップを用いれば、洗浄作業が不要となり、作業効率を向上させることができる。
【００２２】
また、本発明の染毛用カップでは、薄肉材から成るプレートを用いているので、プレートのコストを低くすることができる。そのため、上記のように、染毛作業後に取り外したプレートは、そのまま廃棄しても（使い捨てにしても）よい。また、上記のように、染毛作業後に取り外したプレートは、例えば、洗浄して再利用することができる。この場合、例えば、使用済みのプレートを、後で洗浄するために、洗い場等に積み重ねておいても、プレートは薄肉材からなるので、嵩張ることがない。
【００２３】
・前記薄肉材とは、例えば、肉厚が０．１〜２ｍｍ（好ましくは０．２〜０．７ｍｍ）の範囲にある材料をいう。
・前記薄肉材から構成されるプレートとしては、例えば、紙、高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）、エチレン−酢酸ビニル共重合体ケン化物（ＥＶＯＨ）、ポリアクリロニトリル、ポリエチレンテレフタレート（ＰＥＴ）、ポリプロピレン（ＰＰ）、ポリエステル、ポリ塩化ビニル、またはナイロンの中の１種から成る単層物が挙げられる。
【００２４】
また、薄肉材から構成されるプレートは、２以上の層が積層して成る積層物であってもよく、その積層物の各層は、例えば、上記の材料の中から選ばれた１種から成る層であってもよく、または、上記の材料の中の２種以上の材料をブレンドして成る層であってもよい。
【００２５】
前記薄肉材から構成されるプレートとして特に好ましいのは、紙、ポリプロピレン、低密度ポリプロピレン、高密度ポリプロピレン、中密度ポリプロピレン、直鎖状低密度ポリプロピレンの中の一種から成る単層物、または、高密度ポリプロピレン、中密度ポリプロピレン、直鎖状低密度ポリプロピレンの中から選ばれる１種、または２種以上のブレンド物を積層して成る積層物が挙げられる。
（５）請求項５の発明は、
前記薄肉材は紙であることを特徴とする前記請求項４に記載の染毛用カップを要旨とする。
【００２６】
本発明は、前記請求項４の発明と同様の効果を奏する。特に本発明では、プレートが紙から構成されるので、プレートを使い捨てにした場合のコストが一層低くて済む。
（６）請求項６の発明は、
前記支持体は、前記プレートをその内側に装着することができる容器であることを特徴とする前記請求項１〜５のいずれかに記載の染毛用カップを要旨とする。
【００２７】
本発明の染毛用カップは、支持体として、プレートをその内側に装着することができる容器を備えているので、プレートを安定して保持することができる。また、万一、プレートから染毛剤がこぼれた場合でも、その染毛剤は前記容器に保持されるので、染毛用カップ以外の部分に染毛剤が漏出することがない。
【００２８】
更に、前記容器が、例えば、図１に示す容器３のように、上方ほど広く開口した形状のものである場合は、その容器を縦に積み重ねることがことができ、嵩張らずに収納することができる。
（７）請求項７の発明は、
前記支持体は、前記プレートの外側面に当接することにより前記プレートを支持する台座であることを特徴とする前記請求項１〜５のいずれかに記載の染毛用カップを要旨とする。
【００２９】
本発明の染毛用カップは、支持体として、例えば、図５に示す台座２５のように、プレートの外側面に当接することによりプレートを支持する台座を備えているので、プレートを安定に支持することができる。
（８）請求項８の発明は、
前記請求項１〜７のいずれかに記載の染毛用カップを構成するプレートを要旨とする。
【００３０】
本発明のプレートを、前記請求項１〜７のいずれかに記載の染毛用カップの一部として用いることにより、前記請求項１〜７の発明のいずれかと同様の効果を奏することができる。
【００３１】
【発明の実施の形態】
以下に本発明の染毛用カップ及びプレートの実施の形態の例（実施例）を説明する。
（実施例１）
ａ）まず、本実施例１の染毛用カップの構成を図１及び図２を用いて説明する。尚、図１は、染毛用カップの全体を示す斜視図であり、図２は、図１のＡ−Ａ断面における断面図である。
【００３２】
本実施例１の染毛用カップ１は、上方が開口した容器であるカップ本体（支持体）３と、そのカップ本体３の内側に、着脱自在に装着される容器であるプレート５とから構成される。
上記カップ本体３は、ポリプロピレンの材質から成り、図２に示す様に、平坦な底部７と、上方に行くほど広がっている側面部９とを有している。
【００３３】
また、カップ本体３は、図１に示す様に、側面部９の上端における１箇所が外側に張り出した注ぎ口部１３を備えている。更に、カップ本体３は、側面部９の上端であって、注ぎ口部１３とは反対側の部分において、水平方向外側に張り出した部分である取手部１５を備えている。
【００３４】
上記プレート５は、図１及び図２に示す様に、平坦な底部１７と、上方に行くほど広がっている側面部１９とを有している。プレート５の材質はゴム（弾性を有する材料）であり、その厚みは３ｍｍである。
このプレート５をカップ本体３の内側に装着した際には、図２に示す様に、プレート５の底部１７は、カップ本体３の底部７に密着し、プレート５の側面部１９は、カップ本体３の側面部９に密着する。また、このとき、プレート５の側面部１９のうち、上端から約１０ｍｍの部分である側面上部１９ａは、カップ本体３の上方に突き出している。そのため、プレート５をカップ本体３に装着する際、またはカップ本体３から取り外す際には、この側面上部１９ａを掴むようにすると、プレート５の装着や取り外しを容易に行うことができる。  本実施例１のカップ本体３及びプレート５は、それぞれ、通常の成型方法により製造することができる。
【００３５】
ｂ）次に、本実施例１の染毛用カップ１及びプレート５の使用方法を説明する。
（ｉ）染毛作業時における使用方法
染毛を行う際には、図２に示す様に、カップ本体３の内側にプレート５を装着した状態とする。この時、プレート５の表面及び裏面は、ともに洗浄済みの状態とする。
【００３６】
そして、プレート５の内側に、常法に従って、染毛剤第１剤及び第２剤を入れ、刷毛等を用いて混合し、混合薬剤を調製する。この混合薬剤を髪に塗布することにより、染毛を行うことができる（１回目の染毛）。
染毛が終了した後は、プレート５をカップ本体３から取り外す。そして、図３に示す様に、プレート５の表裏を裏返す。尚、プレート５は、ゴム（弾性を有する材料）から成るので、このように表裏を裏返すことが容易である。
【００３７】
上記のように、プレート５の表裏を裏返すと、混合薬液の付着している面が外側となり、混合薬液が付着していない面は内側となる。
次に、プレート５を、表裏を裏返した状態のままで、カップ本体３の内側に装着する。すると、染毛用カップ１の内側の面は、プレート５の面のうち、混合薬液が付着していない面となる。
【００３８】
この状態で、再び、プレート５の内側に、常法に従って、染毛剤第１剤及び第２剤を入れて混合薬剤を調製し、染毛を行う（２回目の染毛）。
（ｉｉ）混合薬液の除去作業時における使用方法
前記（ｉ）の染毛作業終了後、プレート５をカップ本体３から取り外し、混合薬液を除去する。この取り外したプレート５の外側の面には、１回目の染毛時の混合薬液が付着しており、内側の面には、２回目の染毛時の混合薬液が付着している。
【００３９】
混合薬液の除去の際には、まず、プレート５の外側の面についた混合薬液をティッシュ等で拭き取る。次に、プレート５の表裏を裏返す。すると、プレート５の外側の面は、２回目の染毛作業時に混合薬液が付着した面となる。そして、この面に付着した混合薬液をティッシュ等で拭き取る。
【００４０】
この混合薬液の除去は、前記（ｉ）の洗浄作業が終了するごとに行ってもよい。
また、プレート５を複数用意しておき、前記（ｉ）の染毛作業が終了する度に、プレート５を交換し、取り外したプレート５は所定の場所に、図４に示す様に積み重ねておいてもよい。プレート５は、上方ほど広く開放した側面部１９を有しているので、図４に示す様に積み重ねることが可能である。この場合は、積み重ねておいたプレート５に対し、手の空いた時にまとめて、混合薬液の除去作業を実施することができる。
【００４１】
また、プレート５から混合薬液を除去する方法としては、ティッシュで拭き取る方法の他に、洗剤と水とを用いた洗浄を行う方法であってもよい。この場合も、まず、プレート５の外側の面を洗浄してから、プレート５の表裏を裏返し、新たに外側となった面（当初は内側であった面）を洗浄することにより、容易に、プレート５の両面を洗浄することができる。
【００４２】
ｃ）次に、本実施例１の染毛用カップ１及びプレート５が奏する効果を説明する。
▲１▼本実施例１の染毛用カップ１を用いれば、染毛用カップ１の洗浄を行わずに、２回の染毛を行うことができる。つまり、１回目の染毛を行った後、プレート５を裏返して装着することにより、洗浄を行わずに、再度染毛を行うことができる。
【００４３】
そのため、本発明の染毛用カップ１を用いれば、混合薬液の除去作業の回数が少なくて済み、作業効率を向上させることができる。
▲２▼本実施例１の染毛用カップ１は、（混合薬液が付着した部分である）プレート５を取り外すことができるので、混合薬液の除去作業が容易である。
【００４４】
また、プレート５の内側に付着した混合薬液を除去しようとする場合には、プレート５の表裏を裏返して、その混合薬液が付着している面を外側としてから、混合薬液をティッシュ等を用いて拭き取ることができる。そのため、カップの内側に付着した混合薬液を、そのまま拭き取る場合よりも、混合薬液の除去作業が容易である。
【００４５】
▲３▼本実施例１において、混合薬液の除去が必要となるのは、プレート５の部分のみである。従って、使用済みのプレート５を、後でまとめて洗浄するために積み重ねておいても、染毛用カップ全体を山積みにする場合に比べて、嵩張らないので、他の作業の邪魔になるようなことがない。
【００４６】
しかも、プレート５は、上方ほど広く開放した側面部１９を有しているので、図４に示す様に、嵩張ることなく、縦方向に積み重ねることができる。
▲４▼本実施例１では、プレート５が、混合薬剤がこびり付きにくいゴムから成るので、ティッシュなどで拭き取るだけで、容易に混合薬剤を除去することができる。そのため、プレート５を水を用いて洗浄することは不要であるか、または頻度を少なくすることができる。そのことにより、混合薬液の除去に要する時間が短くて済み、作業効率を向上させることができる。
【００４７】
▲５▼本実施例１では、カップ本体３も、上方ほど広く開放した側面部９を有しているので、プレート５の場合（図４参照）と同様に、嵩張ることなく、縦方向に積み重ねることができる。そのため、カップ本体３を保管するスペースが少なくて済む。
（実施例２）
本実施例２の染毛用カップ１の構成は、基本的には前記実施例１と同様である。
【００４８】
ただし、本実施例２では、プレート５が紙（薄肉材）から成る。
本実施例２の染毛用カップ２３を用いて染毛を行うには、まず、プレート５の内側に、常法に従って、染毛剤第１剤及び第２剤を入れ、刷毛等を用いて混合し、混合薬剤を調製する。次に、混合薬剤を髪に塗布することにより、染毛を行う。
【００４９】
染毛作業が終了すると、プレート５をカップ本体５から取り外し、廃棄する。
本実施例２の染毛用カップ２３では、混合薬液が付着するのはプレート５の部分のみであり、そのプレート５を使い捨てにすることができるので、染毛用カップを洗浄する必要がない。そのため、本実施例２の染毛用カップ２３を用いると、作業効率を向上させることができる。
【００５０】
また、本実施例２では、安価な薄肉材である紙から成るプレート５を用いているので、プレート５を使い捨てにしても、コストが低くて済む。
（実施例３）
本実施例３の染毛用カップ２３は、前記実施例１と同様のプレート５と、図５に示す、プレート５を支持する台座（支持体）２５とから構成される。
【００５１】
台座２５は、全体として環状の形状を有しており、やや内側に傾斜した略長方形の断面を有する台座上部２７と、台座上部２７の下側に設けられ、接地面となる接地部２９とから構成される。また、台座２５の材質は、ゴム又はスポンジである。
【００５２】
この台座２５の上方からプレート５を載置すると、台座上部２７の内側上端２７ａが、プレート５の側面部１９の外側を、全周にわたって支持する。従って、台座２５により、プレート５を安定に支持することができる。
本実施例３の染毛用カップ２３は、前記実施例１の染毛用カップと同様の効果を奏する。
【００５３】
それに加えて、台座２５の材質は上記のように、ゴム又はスポンジであるので、プレート５に対して滑りにくく、台座２５の上に置かれたプレート５の位置や角度がずれてしまうようなことが起こりにくい。
また、台座２５は、縦に積み重ねておくことができるので、場所をとらずに保管できる。積み重ねる際には、例えば、台座２５の接地部２９を、その下に位置する台座２５の台座上部２７の内側に挿入することにより、一層嵩張らず、しかも積み重ねた台座２５が崩れることなく保管できる。尚、通常の状態では、図５に示す様に、接地部２９の外径は、台座上部２７の上端における内径より大きいが、台座２５の材質は変形し易いゴム又はスポンジであるので、台座上部２７を、接地部２９を挿入できる大きさにまで、容易に押し広げることができる。
【００５４】
尚、本発明は前記実施例になんら限定されるものではなく、本発明を逸脱しない範囲において種々の態様で実施しうることはいうまでもない。
・例えば、前記実施例１及び実施例３において、プレート５は、高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）、エチレン−酢酸ビニル共重合体ケン化物（ＥＶＯＨ）、ポリアクリロニトリル、ポリエチレンテレフタレート（ＰＥＴ）、ポリプロピレン（ＰＰ）、ポリエステル、ポリ塩化ビニル、またはナイロンの中の１種から成る単層物であってもよい。
【００５５】
また、前記実施例１及び実施例３のプレート５は、２以上の層が積層して成る積層物であってもよい。この積層物の各層は、上記の材料の中から選ばれた１種から成る層であってもよく、または、上記の材料の中の２種以上の材料をブレンドして成る層であってもよい。
【００５６】
・前記実施例３における台座は、円環状の形状を有するものに限られず、プレート５を安定に支持できるものであれば良い。
例えば、図６に示す様に、略Ｃ字形状の台座であってもよい。
また、台座は、例えば、他の部材（例えば、作業台、流し台等）に、プレート５を装着し、保持できるだけの窪みを設けたものであってもよい。
【図面の簡単な説明】
【図１】実施例１の染毛用カップの構成を示す説明図である。
【図２】実施例１の染毛用カップの構成を示す説明図である。
【図３】実施例１のプレートの使用方法を示す説明図である。
【図４】実施例１のプレートの使用方法を示す説明図である。
【図５】実施例３の染毛用カップの構成を示す説明図である。
【図６】実施例３において使用可能な台座の構成を示す説明図である。
【図７】従来の染毛用カップの構成を示す説明図である。
【符号の説明】
１、２３・・・染毛用カップ
３・・・カップ本体
５・・・プレート
７、１７・・・底部
９、１９・・・側面部
２５・・・台座
【図１】
2004313403.tif 000003
【図２】
2004313403.tif 000004
【図３】
2004313403.tif 000005
【図４】
2004313403.tif 000006
【図５】
2004313403.tif 000007
【図６】
2004313403.tif 000008
【図７】
2004313403.tif 000009